(57)【要約】【課題】  噴射現像システムによるハロゲン化銀写真感光材料用自動現像機におけるペーパー汚れの原因となるローラ汚れ、および、白地問題の原因となる残留した増感色素を除去可能なハロゲン化銀写真感光材料用自動現像機を提供する。【解決手段】  定着能を有する処理液を噴射する工程の後に、酸化剤を含有する処理液を噴射する。【選択図】        図１
2005283985.tif 000002
【特許請求の範囲】
【請求項１】
露光済みのハロゲン化銀写真感光材料に複数種類の処理液を順次噴射して現像処理を行うハロゲン化銀写真感光材料用自動現像機において、
定着能を有する処理液を噴射する工程の後に、酸化剤を含有する処理液を噴射する工程を有することを特徴とするハロゲン化銀写真感光材料用自動現像機。
【請求項２】
前記ハロゲン化銀写真感光材料に前記酸化剤を含有する処理液を噴射する工程の直前に、該ハロゲン化銀写真感光材料をスクイズするスクイズ手段を有することを特徴とする請求項１に記載のハロゲン化銀写真感光材料用自動現像機。
【請求項３】
前記酸化剤が過酸化物であることを特徴とする請求項１あるいは２に記載のハロゲン化銀写真感光材料用自動現像機。
【請求項４】
前記酸化剤を含有する処理液が、下記一般式〔１〕、〔Ｓ１〕または〔Ｓ２〕で示される化合物、または水溶性有機シロキサン系化合物から選ばれる少なくとも１種を含有することを特徴とする請求項１〜３のいずれか１項に記載のハロゲン化銀写真感光材料用自動現像機。
【化１】
2005283985.tif 000022
式中、Ｒｆは少なくとも１つのフッ素原子を含有する飽和または不飽和のアルキル基を表す。
Ｘはスルホンアミド、
【化２】
2005283985.tif 000023
のいずれかを表す。Ｙはアルキレンオキサイド基を表す。Ｒｆ′は少なくとも１つのフッ素原子を含有する飽和または不飽和の炭化水素基を表す。Ａは−ＳＯ3Ｍ、−ＯＳＯ3Ｍ、−ＣＯＯＭ、−ＯＰＯ3（Ｍ1）（Ｍ2）、−ＰＯ3（Ｍ1）（Ｍ2）等のいずれかの親水基を表す。Ｍ、Ｍ1、Ｍ2はＨ、Ｌｉ、Ｋ、ＮａまたはＮＨ4を表す。ｍは０または１、ｎは０または１〜１０の整数を表す。
【化３】
2005283985.tif 000024
式中、Ｒ1は水素原子、脂肪族基、アシル基を表し、Ｒ2は水素原子、脂肪族基を表す。Ｅ1はエチレンオキシド、Ｅ2はプロピレンオキシド、Ｅ3はエチレンオキシドを表し、Ｘは酸素分子または−Ｒ3Ｎ−基でＲ3は脂肪族基、水素分子または、
【化４】
2005283985.tif 000025
を表し、Ｒ4は水素原子または脂肪族基を表す。ｌ1、ｌ2、ｍ1、ｍ2、ｎ1、ｎ2は各々０〜３００の整数を表す。
【化５】
2005283985.tif 000026
式中、Ａ2は１価の有機基である。ＢまたはＣはエチレンオキシドまたはプロピレンオキシドまたは
【化６】
2005283985.tif 000027
を表す。（ただし、ｎ1、ｍ1およびｌ1はそれぞれ０、１、２または３を表す。ｍおよびｎは０〜１００の整数を表す。Ｘ1は水素原子またはアルキル基、アラルキル基、アリール基を表す。）
【請求項５】
前記ハロゲン化銀写真感光材料を４５℃以上の温度に加熱する加熱手段を有することを特徴とする請求項１〜４のいずれか１項に記載のハロゲン化銀写真感光材料用自動現像機。
【請求項６】
前記ハロゲン化銀写真感光材料に噴射する前記処理液の供給量を、前記ハロゲン化銀写真感光材料１ｍ2あたり５ｍｌ〜１００ｍｌに制御する制御手段を有することを特徴とする請求項１〜５のいずれか１項に記載のハロゲン化銀写真感光材料用自動現像機。
【請求項７】
露光済みのハロゲン化銀写真感光材料に複数種類の処理液を順次噴射して発色現像処理を行った後、
該ハロゲン化銀写真感光材料上の画像情報を光学情報または電気情報に変換し、その情報に基づいて記録材料上にカラー画像を形成する画像形成方法において、
発色現像処理後のハロゲン化銀写真感光材料に酸化剤を含有する処理液を噴射する工程を有することを特徴とする画像形成方法。
【請求項８】
前記酸化剤を含有する処理液を噴射する工程の前に、前記ハロゲン化銀写真感光材料をスクイズすることを特徴とする請求項７に記載の画像形成方法。
【請求項９】
前記酸化剤を含有する処理液が、前記一般式〔１〕、〔Ｓ１〕または〔Ｓ２〕で示される化合物、または水溶性有機シロキサン系化合物から選ばれる少なくとも１種を含有することを特徴とする請求項７または８に記載の画像形成方法。
【請求項１０】
露光済みハロゲン化銀写真感光材料に複数種類の処理液を順次噴射して現像処理を行った後、
該ハロゲン化銀写真感光材料の色素画像情報を光学的情報または電気的情報に変換し、その情報に基づいて記録材料上にカラー画像を形成する画像形成方法において、
定着能を有する処理液で処理後のハロゲン化銀写真感光材料に酸化剤を含有する処理液を噴射する工程を有することを特徴とする画像形成方法。
【発明の詳細な説明】
【技術分野】
【０００１】
この発明は、ハロゲン化銀写真感光材料（以下、単に、感光材料、または感材とも言う）を現像処理するハロゲン化銀写真感光材料用自動現像機に関するものであり、さらに詳しくは高速処理能力に優れ、連続射出安定性に優れた噴射現像システムによるハロゲン化銀写真感光材料用自動現像機および現像方法に関する。
【背景技術】
【０００２】
近年のミニラボ店の急激な増加により、写真現像処理店におけるハロゲン化銀写真感光材料用自動現像機１台あたりの感材の処理量が低下している。自動現像機１台あたりの感材の処理量の減少は自動現像機の処理槽内の処理液の液更新率の低下を招き、処理液の液更新率の低下は処理液の劣化の原因となり、安定した処理性能を保てなくなりやすい。このため、自動現像機１台あたりの感材の処理量が低い場合でも機器洗浄等のメンテナンスや日常管理を頻繁にしなくてもよい機器の要望が高まっている。
【０００３】
一方、処理槽を設けずにハロゲン化銀写真感光材料を現像処理する方式として、処理液を密閉性の高い容器（例えばインクジェットヘッド）に収容して、この処理液を感材の乳剤面に気相を介して供給し処理を行う噴射現像方式による現像システムが関示されている（特許文献１参照）。
【０００４】
噴射現像方式は、小さな液滴を感材に噴射して現像処理を行うものであるので、十分な量の処理液の供給が難しいこと、混入する気泡等により安定した噴射を連続して行うことが困難であること等の課題があるが、処理液の供給路に開閉弁を設けたり処理液を噴射ノズルを改良することにより、これらの課題を解決した技術が提案されている（特許文献２参照）。
【０００５】
噴射現像方式による現像システムは、従来の処理槽内の処理液に感光材料を浸漬して現像処理を行う浸漬現像方式に比較して、常に新しい処理液を感光材料表面に供給しているので現像仕上がりの変動が少ないことや、メンテナンス性に優れていること、また、廃液量が少ないく環境負荷が小さいといった利点を有しており、普及が拡大している。
【０００６】
ところで、近年の少量処理店の増加、キオスク等の２４時間サービスの普及に伴い、白地問題やペーパー汚れが新たな問題として浮上してきた。この問題は、噴射現像方式の現像システムでも発生している問題であり、ことに処理枚数の少ない場合には、白地問題が顕著に現れていた。ここでいう白地問題は、現像処理時に感光材料から増感色素を十分に除去しきれないことにより、残留した増感色素がカラープリントの白地部分を着色して汚染する現象のことをいう。
【０００７】
感光材料に残留した増感色素を除去する方法としては、定着処理後の感光材料に酸化剤を接触させて増感色素を効率よく分解させる方法があるが（特許文献３参照）、噴射現像方式の現像システムに適用させてもうまく行かなかった。
【０００８】
また、噴射現像方式によるカラーペーパーの現像処理では、現像装置内の搬送ローラなど部材表面に付着した発色現像剤主薬が酸化によりタール物となり、これが感光材料の表面に付着すると水洗工程でも容易に除去できなくなってペーパー汚れを発生させていた。
【０００９】
また、今日のいわゆるデジタル化時代において、撮影後現像処理を行って形成されたフィルム画像をフィルムスキャナ等で光学的に読み取り、電気信号に変換してデジタル化処理を施して、得られた画像情報を別の記録材料上に画像形成する方法が開示されており、フィルム現像処理にて少なくとも３色の色画像を形成後、その画像を光学情報や電気情報に変換し、別の記録材料上にカラー画像を形成させる画像形成方法も提案されている（特許文献４参照）。このような、現像処理後のフィルムから画像読み込みを行う画像形成方法においても、処理量が少なくなると、噴射現像方式では現像性能が低下するため低濃度の発色現像となり、スキャナ読み込み時に残留銀の影響で画像の取り込みが難しくなるという問題が発生していた。
【特許文献１】特開平６−３２４４５５号公報
【特許文献２】特開２００２−１６７２５号公報
【特許文献３】特開２００３−１２１９７４号公報
【特許文献４】特開平１１−６５０５４号公報
【発明の開示】
【発明が解決しようとする課題】
【００１０】
噴射現像システムによるハロゲン化銀写真感光材料用自動現像機におけるペーパー汚れの原因となるローラ汚れ、および、白地問題の原因となる残留した増感色素を除去可能なハロゲン化銀写真感光材料用自動現像機を提供することと、噴射現像システムにより現像処理を行い画像形成されたフィルムから画像情報をフィルムスキャナ等で光学的に読み取り、電気信号に変換してデジタル化処理を施し、得られた画像情報を別の記録材料に画像形成する画像形成方法において、残留銀の影響を排除した、スキャナ読み込み特性の良い現像方法を提供することである。
【課題を解決するための手段】
【００１１】
発明者らは前記問題点を解決するために様々な検討を行い、処理後の感光材料に酸化剤を噴射することにより課題を達成できることを見出した。
【００１２】
本発明は、特許請求の範囲に記載の下記の構成により達成される。
【００１３】
すなわち、請求項１に記載の発明は、「露光済みのハロゲン化銀写真感光材料に複数種類の処理液を順次噴射して現像処理を行うハロゲン化銀写真感光材料用自動現像機において、
定着能を有する処理液を噴射する工程の後に、酸化剤を含有する処理液を噴射する工程を有することを特徴とするハロゲン化銀写真感光材料用自動現像機。」である。
【００１４】
請求項２に記載の発明は、「前記ハロゲン化銀写真感光材料に前記酸化剤を含有する処理液を噴射する工程の直前に、該ハロゲン化銀写真感光材料をスクイズするスクイズ手段を有することを特徴とする請求項１に記載のハロゲン化銀写真感光材料用自動現像機。」である。
【００１５】
請求項３に記載の発明は、「前記酸化剤が過酸化物であることを特徴とする請求項１あるいは２に記載のハロゲン化銀写真感光材料用自動現像機。」である。
【００１６】
請求項４に記載の発明は、「前記酸化剤を含有する処理液が、下記一般式〔１〕、〔Ｓ１〕または〔Ｓ２〕で示される化合物、または水溶性有機シロキサン系化合物から選ばれる少なくとも１種を含有することを特徴とする請求項１〜３のいずれか１項に記載のハロゲン化銀写真感光材料用自動現像機。
【００１７】
【化１】
2005283985.tif 000003
【００１８】
式中、Ｒｆは少なくとも１つのフッ素原子を含有する飽和または不飽和のアルキル基を表す。
Ｘはスルホンアミド、
【００１９】
【化２】
2005283985.tif 000004
【００２０】
のいずれかを表す。Ｙはアルキレンオキサイド基を表す。Ｒｆ′は少なくとも１つのフッ素原子を含有する飽和または不飽和の炭化水素基を表す。Ａは−ＳＯ3Ｍ、−ＯＳＯ3Ｍ、−ＣＯＯＭ、−ＯＰＯ3（Ｍ1）（Ｍ2）、−ＰＯ3（Ｍ1）（Ｍ2）等のいずれかの親水基を表す。Ｍ、Ｍ1、Ｍ2はＨ、Ｌｉ、Ｋ、ＮａまたはＮＨ4を表す。ｍは０または１、ｎは０または１〜１０の整数を表す。
【００２１】
【化３】
2005283985.tif 000005
【００２２】
式中、Ｒ1は水素原子、脂肪族基、アシル基を表し、Ｒ2は水素原子、脂肪族基を表す。Ｅ1はエチレンオキシド、Ｅ2はプロピレンオキシド、Ｅ3はエチレンオキシドを表し、Ｘは酸素分子または−Ｒ3Ｎ−基でＲ3は脂肪族基、水素分子または、
【００２３】
【化４】
2005283985.tif 000006
【００２４】
を表し、Ｒ4は水素原子または脂肪族基を表す。ｌ1、ｌ2、ｍ1、ｍ2、ｎ1、ｎ2は各々０〜３００の整数を表す。
【００２５】
【化５】
2005283985.tif 000007
【００２６】
式中、Ａ2は１価の有機基である。ＢまたはＣはエチレンオキシドまたはプロピレンオキシドまたは
【００２７】
【化６】
2005283985.tif 000008
【００２８】
を表す。（ただし、ｎ1、ｍ1およびｌ1はそれぞれ０、１、２または３を表す。ｍおよびｎは０〜１００の整数を表す。Ｘ1は水素原子またはアルキル基、アラルキル基、アリール基を表す。）」である。
【００２９】
請求項５に記載の発明は、「前記ハロゲン化銀写真感光材料を４５℃以上の温度に加熱する加熱手段を有することを特徴とする請求項１〜４のいずれか１項に記載のハロゲン化銀写真感光材料用自動現像機。」である。
【００３０】
請求項６に記載の発明は、「前記ハロゲン化銀写真感光材料に噴射する前記処理液の供給量を、前記ハロゲン化銀写真感光材料１ｍ2あたり５ｍｌ〜１００ｍｌに制御する制御手段を有することを特徴とする請求項１〜５のいずれか１項に記載のハロゲン化銀写真感光材料用自動現像機。」である。
【００３１】
請求項７に記載の発明は、「露光済みのハロゲン化銀写真感光材料に複数種類の処理液を順次噴射して発色現像処理を行った後、
該ハロゲン化銀写真感光材料上の画像情報を光学情報または電気情報に変換し、その情報に基づいて記録材料上にカラー画像を形成する画像形成方法において、
発色現像処理後のハロゲン化銀写真感光材料に酸化剤を含有する処理液を噴射する工程を有することを特徴とする画像形成方法。」である。
【００３２】
請求項８に記載の発明は、「前記酸化剤を含有する処理液を噴射する工程の前に、前記ハロゲン化銀写真感光材料をスクイズすることを特徴とする請求項７に記載の画像形成方法。」である。
【００３３】
請求項９に記載の発明は、「前記酸化剤を含有する処理液が、前記一般式〔１〕、〔Ｓ１〕または〔Ｓ２〕で示される化合物、または水溶性有機シロキサン系化合物から選ばれる少なくとも１種を含有することを特徴とする請求項７または８に記載の画像形成方法。」である。
【００３４】
請求項１０に記載の発明は、「露光済みハロゲン化銀写真感光材料に複数種類の処理液を順次噴射して現像処理を行った後、
該ハロゲン化銀写真感光材料の色素画像情報を光学的情報または電気的情報に変換し、その情報に基づいて記録材料上にカラー画像を形成する画像形成方法において、
定着能を有する処理液で処理後のハロゲン化銀写真感光材料に酸化剤を含有する処理液を噴射する工程を有することを特徴とする画像形成方法。」である。
【発明の効果】
【００３５】
請求項１に記載の発明によれば、現像処理中のハロゲン化銀写真感光材料に酸化剤を含有する処理液を噴射することにより、酸化剤がハロゲン化銀写真感光材料中の増感色素を分解するので、白地問題の発生を防止でき、また、自動現像機の搬送ローラ等に付着した処理剤を除去し、発色現像材主薬をの酸化物を除去するので、酸化物の転写によるぺーパー汚れを防止できる。
【００３６】
請求項２に記載の発明によれば、スクイズすることにより、前工程の処理液を除去して、酸化剤が感光材料によく浸透するようになり、白地問題の改善効果を高めることが可能になる。
【００３７】
請求項３に記載の発明によれば、酸化剤として特に安定した酸化力を有する過酸化物を使用することにより、感光材料中の増感色素の分解を迅速、確実に行って白地問題の発生防止を達成する。
【００３８】
請求項４に記載の発明によれば、酸化剤を含有する処理液に、一般式〔１〕、〔Ｓ１〕または〔Ｓ２〕で示される化合物、または水溶性有機シロキサン系化合物から選ばれる少なくとも１種を添加することにより、噴射された酸化剤がハロゲン化銀写真感光材料に均質に塗りつけられるので、酸化剤の効果を向上でき、また、汚れの除去促進が達成できる。
【００３９】
請求項５および請求項６に記載の発明によれば、好ましい条件で現像処理を行うことを可能にする。
【００４０】
請求項７に記載の発明によれば、発色現像処理後のハロゲン化銀写真感光材料に酸化剤を含有する処理液を噴射することにより、写真感光材料中の残留銀の影響を低減させて、画像のスキャナ読み込みが改善される。特に処理量が少ない場合でも形成された画像を正確に読み込むことができる。
【００４１】
請求項８に記載の発明によれば、スクイズすることにより、発色現像工程の処理液が除去されるので、酸化剤含有液の感材への浸透性がよくなり、酸化剤含有液の使用効果を向上できる。
【００４２】
請求項９に記載の発明によれば、酸化剤を含有する処理液に、一般式〔１〕、〔Ｓ１〕または〔Ｓ２〕で示される化合物、または水溶性有機シロキサン系化合物から選ばれる少なくとも１種を添加することにより、噴射された酸化剤が写真感光材料に均質に塗りつけられるので、酸化剤の効果を向上でき、スキャナ読み込み特性を向上できる。
【００４３】
請求項１０に記載の発明によれば、定着能を有する処理液で処理後のハロゲン化銀写真感光材料に酸化剤を含有する処理液を噴射することにより、増感色素と残留銀との高εを減少させ、スキャナ読み込み特性を向上できる。
【発明を実施するための最良の形態】
【００４４】
以下、この発明の実施の形態について説明する。これら実施の形態はこの発明の具体的な例を示すものであり、この発明の用語の意義を限定するものではない。また、断定的な記述もあるが、これらも実施例として好ましい例を示すものであり、この発明や用語の意義を限定するものではない。
【００４５】
なお、この発明で処理される感光材料は、ヨウ臭化銀または臭化銀を含有するハロゲン化銀カラー写真感光材料や、ハロゲン化銀モノクロ写真感光材料などが挙げられ、より好ましい例として、塩化銀乳剤を含有するハロゲン化銀カラー写真感光材料や、ハロゲン化銀モノクロ写真感光材料が挙げられる。さらに、９０％モル以上が塩化銀からなるハロゲン化銀乳剤を含有する乳剤層を少なくとも１層持つことが好ましい。さらに好ましくは９５〜１００モル％、最も好ましくは９８〜１００モル％が塩化銀からなるハロゲン化銀乳剤であることが処理進行性の観点から好ましい。
【００４６】
まず、本発明のハロゲン化銀写真感光材料用自動現像機をカラーペーパー自動現像機に適用した実施例により説明する。
【００４７】
図１は本発明によるカラーペーパー自動現像機の概略構成図、図２は処理液供給部の斜視図、図３は処理液供給手段の構成図、図４は供給装置の構成図、図５はノズルの断面図である。
【００４８】
図１に示すように、カラーペーパー自動現像機１には、原稿スキャナ１１０、フィルムスキャナ１１２、ＭＯドライブ１１４、デジタルカメラ端子１１６が備えられ、これらからハロゲン化銀写真感光材料に記録する画像情報が入力される。この入力された画像情報はＣＲＴ１２０に表示され、ＣＲＴ１２０上で画像の確認が行なわれる。
【００４９】
また、カラーペーパー自動現像機１には、給紙部１３０、カッタ部１４０、露光部１５０、現像処理部１６０、定着処理部１７０、酸化剤噴射部１７３、安定処理部１７５及び乾燥部１９０が配置されている。
【００５０】
現像処理部１６０、定着処理部１７０、酸化剤噴射部１７３、安定処理部１７５が下側に水平に配置され、上側に給紙部１３０が配置され、両側にカッタ部１４０及び露光部１５０と乾燥部１９０が配置され、装置がコンパクトな構造になっている。
【００５１】
給紙部１３０には、ハロゲン化銀写真感光材料であるカラーペーパーＰを収納したペーパーマガジン１１が装填されている。このペーパーマガジン１１から送出されるカラーペーパーＰは、カッタ部１４０で所定長さにカットされ、複数の搬送ローラ等の搬送手段により挟持され搬送される。
【００５２】
このカラーペーパーＰは露光部１５０に送られ、この露光部１５０では露光によりカラーペーパーＰに潜像が形成される。露光部を通過したカラーペーパーＰは搬送経路中に配置されている感光材料の加熱手段であるヒータ３０により加熱される。感光材料を加熱することにより、噴射した処理液による反応を促進するので迅速処理が可能であり、しかも高速で均一に処理液を塗り付けることができるので、常に処理ムラのない、安定した処理を可能としている。加熱された感光材料の温度は３５℃以上であることが好ましく、さらに処理の迅速性の観点などから４０℃以上であることがより好ましい。したがって、加熱手段であるヒータ３０は感光材料Ｐを４５℃以上の温度に加熱できる能力を有するものであることが好ましい。
【００５３】
ヒータ３０の下流側の現像処理部１６０、定着処理部１７０、酸化剤噴射部１７３及び安定処理部１７５には、それぞれに処理液供給手段２０が備えられている。カラーペーパーＰは乳剤面を上側にしてこれらの処理部を搬送され、その乳剤面側に、現像処理部１６０では現像能を有する処理液が噴射され、定着処理部では定着能を有する処理液が噴射され、酸化剤噴射部１７３では酸化剤を含む処理液が噴射され、安定処理部１７５を経て乾燥部１９０で乾燥された後、写真プリントとして排出される。
【００５４】
ここで、酸化剤噴射部１７３にて酸化剤を含有する処理液をカラーペーパーＰに噴射し、塗りつけることにより、カラーペーパーＰに残存する増感色素が分解されるため白地の向上が達成できる。また余剰な処理液も分解されるので、搬送ローラへ付着した余剰な処理液によりローラの表面にタール状の汚れを発生させることが無くなる。
【００５５】
４０は、カラーペーパーＰ上に残存する処理液を除去するスクイズローラ４０であり、酸化剤噴射部１７３の直前に配設されている。スクイズローラ４０により、酸化剤噴射部１７３へ搬送されるカラーペーパーＰ上に残存する処理液を除去するので、酸化剤のカラーペーパーＰへの浸透性を高め、酸化剤噴射の効果を向上させることができる。
【００５６】
各処理工程にそれぞれ配設されている処理液供給手段２０は、図２に示すように、コンプレッサにより加圧された処理液を供給する供給配管２７５、ソレノイド１８１、開閉弁１８２と、処理液を噴射するノズルを有する供給装置１８３から構成され、供給装置１８３は、駆動機構２８０により感光材料Ｐの搬送方向と直交する方向に往復移動し、感光材料Ｐの表面に処理液を噴射する。
【００５７】
図３に示すように、駆動機構２８０は、一対のプーリ２８１，２８２と、このプーリ２８１，２８２に掛け渡されたタイミングベルト２８３と、プーリ２８１を駆動する駆動モータＭ１を有し、駆動モータＭ１の正逆回転によりタイミングベルト２８３に固定された供給装置１８３を感光材料Ｐの搬送方向と直交する方向に移動する。
【００５８】
また、図４に示すように、開閉弁１８２は、処理液を供給する供給路である液供給配管２７５の処理液流路の下流側に配設され、供給装置１８３は、開閉弁１８２の下流側に設けられた分岐流路１８３ａと、それぞれの分岐流路１８３ａに設けられたノズル１８３ｂとを有し、開閉弁１８２の開閉作動によって処理液をノズル１８３ｂから噴射し、処理液を感光材料Ｐに塗布する。開閉弁１８２の開閉はソレノイド１８１で駆動され、実施例では、ひとつの開閉弁から４個の流路に分岐し、その先にノズルが形成されている。
【００５９】
４個のノズルは３５ｍｍピッチで配置され、分岐部とノズルが可動台に固定され、４０ｍｍの移動距離を１秒に５往復移動するように非図示の制御手段により制御されている。また、開閉弁が動作しているのは、可動台の往復運動時の定速時である。加速減速時には開閉弁は動作しない。
【００６０】
ノズル１８３ｂは、図５に示すように、処理液を貯留するチャンバー１８３ｂ１と、このチャンバー１８３ｂ１内の処理液を噴射するオリフィス１８３ｂ２とで構成され、チャンバー１８３ｂ１の内径をＲ１とし、オリフィス１８３ｂ２の直径をＲ２とし、このオリフィス１８３ｂ２の断面積とチャンバー１８３ｂ１の断面積の比が２〜１５０で、チャンバー１８３ｂ１の断面積を大きくしており、圧力の伝達に損失が発生することを抑えて応答の遅延をなくすことができる。また、チャンバーとオリフィスとのジョイント部にはテーパ１８３ｂ３が設けられており、このテーパー１８３ｂ３により、オリフィス１８３ｂ２からの気泡の混入がなくなり、一度入った気泡も容易に除去することができる。
【００６１】
処理液供給手段２０による感光材料への処理液供給量は、感光材料１ｍ2あたり１０ｍｌ〜１００ｍｌ（１０ｍｌ／ｍ2〜１００ｍｌ／ｍ2）であることが好ましい。本発明におけるハロゲン化銀写真感光材料用自動現像機の実施例においては、感光材料１ｍ2あたり処理液供給量を５ｍｌ〜１００ｍｌ（５ｍｌ／ｍ2〜１００ｍｌ／ｍ2）に制御する非図示の制御手段を有している。
【００６２】
本発明で用いられる酸化剤の具体例として、有機過酸および有機過酸化物、酸化性の有機化合物、過酸の他、酸素、次亜塩素酸塩、塩素、臭素、ヨウ素、臭素−ヘキサメチルホスホルアミド、オルト過ヨウ素酸、硝酸、亜硝酸、二酸化窒素、ニトロジスルホン酸カリウム、過ヨウ素酸テトラブチルアンモニウム、過ヨウ素酸カリウム、微生物、酵素、等が挙げられるが、本発明はこれらに限定されるものではない。
【００６３】
有機過酸および有機過酸化物の具体例としては、ｍ−クロロ過安息香酸（ＭＣＰＢＡ）、過安息香酸、過酢酸、ｔ−ブチルハイドロパーオキサイド、等が挙げられる。
【００６４】
酸化性の有機化合物の具体例としては、ジメチルスルホキシド／塩化オキサリル、ジメチルスルホキシド／無水トリフルオロ酢酸、ジメチルスルホキシド／ジシクロヘキシルカルボジイミド、キノン類（２．３−ジクロロ−５．６−ジシアノ−１．４−ベンゾキノン等）、ニトロベンゼン、ｐ−ニトロソジメチルアニリン、ジメチルアミノピリジンＮ−オキシド、トリフェニルメチルカチオン、アゾジカルボン酸ジエチル、ジフェニルニトロキシド、２−スルホニルオキサジリジン、ヨードソベンゼンジアセタート、Ｎ−ブロムサクシンイミド、クロラミンＴ、クロラミンＢチオスルフォン酸塩、等が挙げられる。
【００６５】
過酸化物の具体例としては、過酸化水素、過硫酸塩、過炭酸塩、過硼酸塩、ベルオキシ錯体化合物（例えば、Ｋ2［Ｔｉ（Ｏ2）Ｃ2Ｏ2］・３Ｈ2Ｏ、４Ｋ2ＳＯ4・Ｔｉ（Ｏ2）ＯＨ・ＳＯ4・２Ｈ2Ｏ、Ｎａ3［ＶＯ（Ｏ2）（Ｃ2Ｈ4）2］・６Ｈ2Ｏ）、等も挙げられる。
【００６６】
これらの過酸化物の中でも、環境適性などの視点から、過酸化水素、過硫酸塩、過炭酸塩、過硼酸塩が特に好ましい。
【００６７】
また、酸化剤を含有する処理液が、下記一般式〔１〕、〔Ｓ１〕または〔Ｓ２〕で示される化合物、または水溶性有機シロキサン系化合物から選ばれる少なくとも１種を含有することが望ましい。
【００６８】
【化７】
2005283985.tif 000009
【００６９】
式中、Ｒｆは少なくとも１つのフッ素原子を含有する飽和または不飽和のアルキル基を表す。Ｘはスルホンアミド、
【００７０】
【化８】
2005283985.tif 000010
【００７１】
等が挙げられ、Ｙはアルキレンオキサイド基等が挙げられる。Ｒｆ′は少なくとも１つのフッ素原子を含有する飽和または不飽和の炭化水素基を表す。さらにＡは−ＳＯ3Ｍ、−ＯＳＯ3Ｍ、−ＣＯＯＭ、−ＯＰＯ3（Ｍ1）（Ｍ2）、−ＰＯ3（Ｍ1）（Ｍ2）等の親水基を表す。Ｍ、Ｍ1、Ｍ2はＨ、Ｌｉ、Ｋ、ＮａまたはＮＨ4を表す。ｍは０または１、ｎは０または１〜１０の整数を表す。
【００７２】
【化９】
2005283985.tif 000011
【００７３】
式中、Ｒ１は水素原子、脂肪族基、アシル基を表し、Ｒ2は水素原子、脂肪族基を表す。Ｅ1はエチレンオキシド、Ｅ2はプロピレンオキシド、Ｅ3はエチレンオキシドを表し、Ｘは酸素分子または−Ｒ3Ｎ−基でＲ3は脂肪族基、水素分子または、
【００７４】
【化１０】
2005283985.tif 000012
【００７５】
を表し、Ｒ4は水素原子または脂肪族基を表す。ｌ1、ｌ2、ｍ1、ｍ2、ｎ1、ｎ2は各々０〜３００の値を表す。
【００７６】
【化１１】
2005283985.tif 000013
【００７７】
式中、Ａ2は１価の有機基である。ＢまたはＣはエチレンオキシドまたはプロピレンオキシドまたは
【００７８】
【化１２】
2005283985.tif 000014
【００７９】
を表す（ただし、ｎ1、ｍ1およびｌ1はそれぞれ０、１、２または３を表す）。ｍおよびｎは０〜１００の整数を表す。Ｘ1は水素原子またはアルキル基、アラルキル基、アリール基である。
【００８０】
これらの化合物は界面活性剤であり、界面活性剤を処理液に添加することにより、噴射された酸化剤がハロゲン化銀写真感光材料に均質に塗りつけられ、酸化剤の効果を向上できるとともに、汚れの除去促進が達成できる。
【００８１】
これらの界面活性剤の添加量は、０．０００１ｇ／ｌ〜２．０ｇ／ｌが好ましく、０．０１ｇ／ｌ〜０．５ｇ／ｌであることがより好ましい。
【００８２】
なお、前記実施例は、カラーペーパー自動現像機に本発明を適用した一例であるが、処理対象とする感光材料がカラーペーパーであっても良く、その場合には、酸化剤処理液噴射は、発色現像処理の後、漂白処理の後、定着処理の後、あるいは、漂白定着処理の後のいずれでも良く、好ましくは定着処理の後である。
【００８３】
次に、本発明のもう一つの形態である、撮影後現像処理を行い画像形成されたフィルムから画像情報をフィルムスキャナ等で光学的に読み取り、電気信号に変換してデジタル化処理を施し、得られた画像情報を別の記録材料に画像形成する画像形成方法について説明する。
【００８４】
図６は、本発明による画像形成方法に基づくフィルム自動現像機の概念図である。図６中、図１と同じ機能を有する部材には同一の符合が付されている。
【００８５】
図６において、Ｆは撮影済みカラーフィルムＦであり、複数の搬送ローラ等の搬送手段により図示右側から左側へ乳剤面を上側にして搬送される。
【００８６】
カラーフィルムＦの搬送経路には、現像処理部１６０および酸化剤噴射部１７３が配設されており、それぞれに処理液供給手段２０が配設されている。現像処理部１６０では、現像能を有する処理液がカラーフィルムＦに噴射されて発色現像が行われ、銀画像の形成とともにＹ（イエロー）、Ｍ（マゼンタ）、Ｃ（シアン）の色素画像が形成される。次いでカラーフィルムＦは酸化剤噴射部１７３に搬送され、酸化剤噴射部１７３にて酸化剤を含む処理液の噴射を受けた後水洗処理部にて水洗されてフィルムスキャナ１１２に搬送される。ここで、４０は、カラーペーパーＰ上に残存する処理液を除去するスクイズローラ４０であり、酸化剤噴射部１７３の直前に配設されている。スクイズローラ４０により、酸化剤噴射部１７３へ搬送されるカラーフィルムＦ上に残存する処理液を除去するので、酸化剤のカラーペーパーＰへの浸透性を高め、酸化剤噴射の効果を向上させることができる。フィルムスキャナ１１２はカラーフィルムＦ上の色素画像を読み取り電気信号に変換してデジタル化処理を施し、得られた画像情報を熱転写プリンタ２２０に送り、熱転写プリンタ２２０は画像情報を記録材料Ｐ上に画像形成し、画像プリントとして排出する。ここでＣＲＴ１２はプリントされる画像を確認するＣＲＴモニタであり、２１０はスキャナ１１２、熱転写プリンタ２２０、ＣＲＴモニタを制御するＣＰＵ２１０である。
【００８７】
酸化剤噴射部１７３にて酸化剤を含有する処理液をカラーフィルムＦに噴射して塗りつけることにより、カラーフィルムＦに残存する増感色素を分解することに加え、残留銀がある場合でも銀の吸収が低減されて、スキャナ読み込み特性を向上させることができる。すなわち、酸化剤を含有する処理液を噴射することにより、ハロゲン化銀写真感光材料に残存する増感色素と残留銀の高εを減少させ、スキャナ読み込み特性の改善がなされるものである。また酸化剤が余剰な処理液を分解するので、余剰な処理液が搬送ローラへ付着し、ローラの表面にタール状の汚れを発生させることが無い。
【００８８】
処理液に含有させる酸化剤としては、前述の有機過酸および有機過酸化物、酸化性の有機化合物、過酸の他、酸素、次亜塩素酸塩、塩素、臭素、ヨウ素、臭素−ヘキサメチルホスホルアミド、オルト過ヨウ素酸、硝酸、亜硝酸、二酸化窒素、ニトロジスルホン酸カリウム、過ヨウ素酸テトラブチルアンモニウム、過ヨウ素酸カリウム、微生物、酵素、等が挙げられる。
【００８９】
また、処理液に一般式〔１〕、〔Ｓ１〕または〔Ｓ２〕で示される化合物、または水溶性有機シロキサン系化合物から選ばれる少なくとも１種を含有させることにより、噴射された酸化剤が均質に感材上に塗りつけられるので、酸化剤の使用効果を高めスキャナ読み込み特性を向上できる。これらの界面活性剤の添加量は、０．０１ｇ／ｌ〜２．０ｇ／ｌが好ましく、０．１ｇ／ｌ〜１．０ｇ／ｌであることがより好ましい。
【００９０】
また、４０は現像処理後のカラーフィルムＦ上に残存する処理液を除去するスクイズローラ４０である。スクイズローラ４０を酸化剤噴射部１７３の直前に設けてカラーフィルムＦ上に残存する処理液を除去することにより、酸化剤のカラーフィルムへの浸透性がよくなり、酸化剤の効果を向上させることができる。
【００９１】
図７は、本発明によるもう一つの画像形成方法に基づくフィルム自動現像機の概念図である。図７中、図１と同じ機能を有する部材には同一の符合が付されている。
【００９２】
図７において、Ｆは撮影済みカラーフィルムＦであり、複数の搬送ローラ等の搬送手段により図示右側から左側へ乳剤面を上側にして搬送される。
【００９３】
カラーフィルムＦの搬送経路には、現像処理部１６０、漂白処理部１６１、定着処理部１７０、および酸化剤噴射部１７３が配設されており、それぞれに処理液供給手段２０が備えられている。現像処理部１６０では、現像能を有する処理液がカラーフィルムＦに噴射され塗りつけられて発色現像が行われ、銀画像の形成とともにＹ（イエロー）、Ｍ（マゼンタ）、Ｃ（シアン）の色素画像が形成され、次いでカラーフィルムＦは漂白処理、定着処理を経て酸化剤噴射部１７３に搬送され、酸化剤噴射部１７３にて酸化剤を含む処理液の噴射を受けた後水洗処理部にて水洗されてフィルムスキャナ１１２に搬送される。ここで、４０は、カラーペーパーＰ上に残存する処理液を除去するスクイズローラ４０であり、酸化剤噴射部１７３の直前に配設されている。スクイズローラ４０により、酸化剤噴射部１７３へ搬送されるカラーフィルムＦ上に残存する処理液を除去するので、酸化剤のカラーペーパーＰへの浸透性を高め、酸化剤噴射の効果を向上させることができる。フィルムスキャナ１１２はカラーフィルムＦ上の色素画像を読み取り電気信号に変換してデジタル化処理を施し、得られた画像情報を熱転写プリンタ２２０に送り、熱転写プリンタ２２０は画像情報を記録材料Ｐ上に画像形成し、画像プリントとして排出する。ここでＣＲＴ１２はプリントされる画像を確認するＣＲＴモニタであり、２１０はスキャナ１１２、熱転写プリンタ２２０、ＣＲＴモニタを制御するＣＰＵ２１０である。
【００９４】
酸化剤噴射部１７３にて酸化剤を含有する処理液をカラーフィルムＦに噴射して塗りつけることにより、カラーフィルムＦに残存する増感色素を分解できることに加え、残留銀がある場合でも銀の吸収が低減されて、スキャナ読み込み特性を向上させることができる。すなわち、酸化剤を含有する処理液を噴射することにより、ハロゲン化銀写真感光材料に残存する増感色素と残留銀の高εを減少させ、スキャナ読み込み特性の改善がなされるものである。また酸化剤が余剰な処理液を分解するので、余剰な処理液が搬送ローラへ付着し、ローラの表面にタール状の汚れを発生させることが無い。
【実施例】
【００９５】
以下、実施例を挙げて本発明を詳細に説明するが、本発明の態様はこれに限定されるものではない。
〔実施例１〕
図１に示すハロゲン化銀写真感光材料用自動現像機を用いて以下の条件にてカラーペーパーの現像処理を行った。ここで、ハロゲン化銀カラー写真感光材料はＱＡ−Ａ６カラーペーパー（コニカミノルタ社製、サイズ１２７ｍｍ×１７８ｍｍ）を用いた。なお、前記カラーペーパーはヒータにより４５℃に加熱されている。
（処理条件）
【００９６】
【表１】
2005283985.tif 000015
【００９７】
【表２】
2005283985.tif 000016
【００９８】
表１は現像処理の条件を示す。表２は表１に示す現像処理における酸化剤処理条件を示す。すなわち、実験Ｎｏ．１は酸化剤処理を行わない場合、実験Ｎｏ．２は酸化剤として過酸化水素を用い、かつ、添加剤を添加しない条件で酸化剤処理を行う場合、実験Ｎｏ．３は過酸化水素を含有する処理液に添加剤Ａを添加する場合、実験Ｎｏ．４は過酸化水素を含有する処理液に添加剤Ｂを添加する場合、実験Ｎｏ．５は過酸化水素を含有する処理液に添加剤Ｃを添加する場合、実験Ｎｏ．６は過酸化水素を含有する処理液に添加剤Ｄを添加する場合の酸化剤処理条件を示す。
【００９９】
表１、表２中の処理時間とは、例えば発色現像処理工程の感光材料が乳剤面に発色現像液を最初に供給されてから次の工程（例えば、漂白定着工程）の処理液を供給または次の工程の処理液に浸漬されるまでの時間のことをいう。
【０１００】
各処理液は下記の処方よりなるものを使用した。
（発色現像液の処方：１Ｌあたり）
ジエチレングリコール                        ３０ｇ
ｐ−トルエンスルホン酸ナトリウム            ５０ｇ
ビスヒドロキシルアミンジナトリウム          １５ｇ
ＣＤ−３                                    １５ｇ
炭酸カリウム                                ４０ｇ
水酸化カリウム                                ６ｇ
チノバールＳＦＰ                              ３ｇ
水酸化カリウムまたは硫酸を用いてｐＨを１１．５に調整した。
（漂白定着液の処方：１Ｌあたり）
エチレンジアミン４酢酸の第二鉄塩アンモニウム塩  ５５ｇ
エチレンジアミン４酢酸                            ５ｇ
チオ硫酸アンモニウム                            ６０ｇ
亜硫酸アンモニウム                              ２０ｇ
アンモニア水または酢酸を用いてｐＨを６．０に調整した。
（酸化剤含有液の処方：１Ｌあたり）
過酸化水素水                                ３０ｍｌ
（酸化剤含有液に添加する添加剤の処方）
実験Ｎｏ．３では
Ｃ7Ｆ15ＣＯＮＨＣ2Ｈ4ＮＣ5Ｈ4Ｃｌ           ０．２ｇ
実験Ｎｏ．４では
Ｃ12Ｈ25ＣＯＯ−（Ｃ2Ｈ4Ｏ）10−Ｈ          ０．２ｇ
実験Ｎｏ．５では
Ｃ12Ｈ25−Ｏ−（Ｃ2Ｈ4Ｏ）10−Ｈ            ０．２ｇ
実験Ｎｏ．６では
【０１０１】
【化１３】
2005283985.tif 000017
【０１０２】
０．５ｇ
を、それぞれ添加した。
【０１０３】
ここで、実験Ｎｏ．３で処方したＣ7Ｆ15ＣＯＮＨＣ2Ｈ4ＮＣ5Ｈ4Ｃｌは、前記一般式〔１〕で示される化合物の一例であり、実験Ｎｏ．４で処方したＣ12Ｈ25ＣＯＯ−（Ｃ2Ｈ4Ｏ）10−Ｈは、前記一般式〔Ｓ１〕で示される化合物の一例であり、実験Ｎｏ．５で処方したＣ12Ｈ25−Ｏ−（Ｃ2Ｈ4Ｏ）10−Ｈは、前記一般式〔Ｓ２〕で示される化合物の一例であり、実験Ｎｏ．６で処方した
【０１０４】
【化１４】
2005283985.tif 000018
【０１０５】
は、前記水溶性シロキサン系化合物の一例である。
【０１０６】
評価
上記により前述のカラー写真感光材料を５０枚処理し、酸化剤処理後のローラの状態を観察し、
○    付着物はない
△    僅かな付着物があるが、実用上問題なし
×    付着があり、実害がある
さらに処理後のペーパの白地部で汚れの評価を行い、以下の基準で評価した。
【０１０７】
○    汚れは認められない
△    僅かな汚れがあるが、実用上問題なし
×    明らかに汚れがあり、実害がある
の基準で評価した。
【０１０８】
評価結果
【０１０９】
【表３】
2005283985.tif 000019
【０１１０】
表３に示すように、過酸化物を含有する酸化剤処理を実施した実験Ｎｏ．２〜６ではペーパー白地汚れは発生せず、ローラ汚れも改善できることが確認され、本発明の効果を奏すことができることが確認された。また、酸化剤処理液に前記一般式〔１〕、〔Ｓ１〕、〔Ｓ２〕で示される化合物、および水溶性シロキサン系化合物を添加した実験Ｎｏ．３〜６では、より良好に本発明の効果を奏すことができることが確認された。
〔実施例２〕
この発明のもう一つの形態である、撮影後現像処理を行い画像形成されたフィルムから画像情報をフィルムスキャナ等で光学的に読み取り、電気信号に変換してデジタル化処理を施し、得られた画像情報を別の記録材料に画像形成する画像形成方法における現像処理工程に酸化剤処理を付加する画像形成方法に関し、図６に示す構成により以下の実験を行った。
【０１１１】
ウエッジ露光を行ったカラーネガフィルム（センチュリア４００（コニカミノルタ社製））に表４に示す条件にて現像処理を行い、処理後のフィルムウエッジをフィルムスキャナ（コニカ社製フィルムスキャナＤＳ１０００）を用いて読み取り、得られたデジタル情報を、画像処理後、インクジェットプリンタ（セイコーエプソン社製インクジェットプリンタＰＭー３３００Ｃ）で出力し、得られた画像を目視により確認した。
【０１１２】
【表４】
2005283985.tif 000020
【０１１３】
表４に現像処理の条件を示す。なお表４の処理時間とは、例えば、発色現像処理工程の場合、感光材料乳剤面に発色現像液が供給されてから次の処理工程（例えば、漂白定着工程）の処理液を供給されるまでの時間か、あるいは、感光材料の先端が最初の処理液槽に浸漬してから次の工程の処理液に浸漬されるまでの時間のことをいう。
【０１１４】
処理液は下記を使用した。
（発色現像液の処方：１Ｌあたり）
ジエチレングリコール                        ３０ｇ
ビスヒドロキシルアミンジナトリウム          １５ｇ
ＣＤ−４                                    ２５ｇ
炭酸カリウム                                ４０ｇ
水酸化カリウム                                ６ｇ
チノバールＳＦＰ                              ３ｇ
ポリビニルビロリドン                        １０ｇ
水酸化カリウムまたは硫酸を用いてｐＨを１１．０に調整した。
（酸化剤含有液の処方：１Ｌあたり）
過酸化水素水                                ３０ｍｌ
Ｃ7Ｆ15ＣＯＮＨＣ2Ｈ4ＮＣ5Ｈ4Ｃｌ           ０．５ｇ
ここで、酸化剤含有液に添加剤として処方したＣ7Ｆ15ＣＯＮＨＣ2Ｈ4ＮＣ5Ｈ4Ｃｌは、前記一般式〔１〕で示される化合物の一例である。
【０１１５】
ウエッジ露光を行ったカラーネガフィルム（センチュリア４００（コニカミノルタ社製））に現像処理を行い、処理後のフィルムウエッジをフィルムスキャナを用いて読み取り、得られたデジタル情報を、画像処理後、インクジェットプリンタで出力したところ、撮影したテストパターンをほぼ再現した。一方、比較例として酸化剤処理を行わないで同様の実験を行ったところ、画像のムラが発生していた。すなわち、酸化剤を含有する処理液を噴射することにより、スキャナ読み込み特性の向上がなされることが確認された。また、酸化剤含有液に添加剤する添加剤として、前記Ｃ7Ｆ15ＣＯＮＨＣ2Ｈ4ＮＣ5Ｈ4Ｃｌのような前記一般式〔１〕で示される化合物の他に、一般式〔Ｓ１〕、〔Ｓ２〕で示される化合物、あるいは、水溶性シロキサン系化合物を添加することで、より良好に本発明の効果を奏すことができることが確認された。
【０１１６】
上記の実験結果より、撮影後現像処理を行い画像形成されたフィルムから画像情報をフィルムスキャナ等で光学的に読み取り、電気信号に変換してデジタル化処理を施し、得られた画像情報を別の記録材料に画像形成する画像形成方法において、発色現像処理後のフィルムに酸化剤を含有する処理液を噴射することにより、フィルムのスキャナ読み込み特性が向上することが確認された。
〔実施例３〕
同様な実験を図７に示す構成により実施した。
【０１１７】
実験は、ウエッジ露光を行ったカラーネガフィルム（センチュリア４００（コニカミノルタ社製））に下記の現像処理を行い、処理後のフィルムウエッジをフィルムスキャナ（コニカ社製フィルムスキャナＤＳ１０００）を用いて読み取り、得られたデジタル情報を、画像処理後、インクジェットプリンタ（セイコーエプソン社製インクジェットプリンタＰＭー３３００Ｃ）で出力し、画像を目視で確認した。
【０１１８】
【表５】
2005283985.tif 000021
【０１１９】
表５に現像処理の条件を示す。なお表５の処理時間は実施例２で説明した内容と同じである。
【０１２０】
処理液は下記を使用した。
（発色現像液の処方：１Ｌあたり）
ジエチレングリコール                        ３０ｇ
ビスヒドロキシルアミンジナトリウム          １５ｇ
ＣＤ−４                                    ２５ｇ
炭酸カリウム                                ４０ｇ
水酸化カリウム                                ６ｇ
チノバールＳＦＰ                              ３ｇ
ポリビニルビロリドン                        １０ｇ
水酸化カリウムまたは硫酸を用いてｐＨを１１．０に調整した。
（漂白液の処方：１Ｌあたり）
１．３プロピレンジアミン４酢酸の第２鉄塩アンモニウム塩  １５０ｇ
１．３プロピレンジアミン４酢酸                              ５ｇ
臭化アンモニウム                                          ５０ｇ
（定着液の処方：１Ｌあたり）
チオ硫酸アンモニウム                      ２６０ｇ
亜硫酸アンモニウム                          ３０ｇ
アンモニア水または酢酸を用いてｐＨを６．０に調整した。
（酸化剤含有液の処方：１Ｌあたり）
過酸化水素水                                ３０ｍｌ
Ｃ7Ｆ15ＣＯＮＨＣ2Ｈ4ＮＣ5Ｈ4Ｃｌ           ０．５ｇ
ウエッジ露光を行ったカラーネガフィルムに上記の現像処理を行い、処理後のフィルムウエッジをフィルムスキャナを用いて読み取り、得られたデジタル情報を、画像処理後、インクジェットプリンタで出力したところ、撮影したテストパターンをほぼ再現し、ノイズも少ないことが確認された。一方、比較例として酸化剤処理を行わないで同様の実験を行ったところ、得られた画像にはノイズが発生していた。
【０１２１】
上記の実験結果より、撮影後現像処理を行い画像形成されたフィルムから画像情報をフィルムスキャナ等で光学的に読み取り、得られた画像情報を別の記録材料に画像形成する画像形成方法において、定着能を有する処理液で処理を行ったフィルムに酸化剤を含有する処理液を噴射することにより、フィルムのスキャナ読み込み特性が向上することが確認された。
【図面の簡単な説明】
【０１２２】
【図１】本発明の実施例であるカラーペーパー自動現像機の概略構成図である。
【図２】本発明の実施例である処理液供給部の斜視図である。
【図３】本発明の実施例である処理液供給手段の構成図である。
【図４】本発明の実施例である供給装置の構成図である。
【図５】本発明の実施例であるノズルの断面図である。
【図６】本発明における画像形成方法の一例を説明する概念図である。
【図７】本発明における画像形成方法の他の例を説明する概念図である。
【符号の説明】
【０１２３】
１  ハロゲン化銀写真感光材料用自動現像機
２０  処理液供給手段
１３０  給紙部
１４０  カッタ部
１５０  露光部
１６０  現像処理部
１７０  定着処理部
１７３  酸化剤噴射部
１７５  安定処理部
１８２  開閉弁
１８３  供給装置
１８３ａ  分岐流路
１８３ｂ  ノズル
１９０  乾燥部
２７２  供給タンク
２７３  コンプレッサ
２７５  液供給配管
【図１】
2005283985.tif 000028
【図２】
2005283985.tif 000029
【図３】
2005283985.tif 000030
【図４】
2005283985.tif 000031
【図５】
2005283985.tif 000032
【図６】
2005283985.tif 000033
【図７】
2005283985.tif 000034